(57)【要約】      （修正有）【課題】モバイル端末を通して兌換する商品購入プラットフォーム装置を提供する。【解決手段】モバイル端末を通して兌換する商品購入プラットフォーム装置は、第１端末装置と第２端末装置を包含し、第１使用者Ａは該第１端末装置２１を通してサーバー装置１０に架設された商品サービスプラットフォーム１００に接続して少なくとも一つの商品Ｐを購入し、且つ購入情報と第２使用者情報Ｓ２を該サーバー装置に伝送する。第２使用者Ｄは該第２端末装置２２を介して該サーバー装置の伝送する商品兌換券Ｓ５を受け取り、並びに該第２端末装置を店舗Ｅに携行して該商品と兌換し、該第２使用者は兌換前に、該第２端末装置を該サーバー装置に接続して該商品兌換券が有効であるかを確認し、該店舗は該商品兌換券が有効であると確認されると、該購入情報により該商品Ｐを該第２使用者に交付する。【選択図】図１
0003179591.tif 000002
【実用新案登録請求の範囲】
【請求項１】
モバイル端末を通して兌換する商品購入プラットフォーム装置において、
第１端末装置であって、第１使用者により操作され、サーバー装置に接続され、並びに購入情報と第２使用者情報を該サーバー装置に伝送する、上記第１端末装置と、
第２端末装置であって、モバイル端末装置とされ、第２使用者により操作され且つ該サーバー装置と接続され、該サーバー装置が伝送する商品兌換券を受け取り、並びに該サーバー装置に接続して該サーバー装置が有効であるか否かを確認し、店舗は該商品兌換券が有効であると確認された後、該購入情報により少なくとも一つの商品を該第２使用者に交付する、上記第２端末装置と、
を包含することを特徴とする、モバイル端末を通して兌換する商品購入プラットフォーム装置。
【請求項２】
請求項１記載のモバイル端末を通して兌換する商品購入プラットフォーム装置において、該サーバー装置はサービスプロバイダにより提供され、該サービスプロバイダは該サーバー装置において商品サービスプラットフォームを構築することを特徴とする、モバイル端末を通して兌換する商品購入プラットフォーム装置。
【請求項３】
請求項１記載のモバイル端末を通して兌換する商品購入プラットフォーム装置において、該購入情報は少なくとも一つの商品名称と少なくとも一つの商品数量を包含することを特徴とする、モバイル端末を通して兌換する商品購入プラットフォーム装置。
【請求項４】
請求項１記載のモバイル端末を通して兌換する商品購入プラットフォーム装置において、該第２使用者情報は電子メールアドレス或いは携帯電話番号を包含し、該第２端末装置は該商品兌換券を包含する電子メール或いは携帯電話ショートメッセージを受信することを特徴とする、モバイル端末を通して兌換する商品購入プラットフォーム装置。
【請求項５】
請求項１記載のモバイル端末を通して兌換する商品購入プラットフォーム装置において、該商品兌換券は少なくとも一つのバーコード、少なくとも一つの二次元バーコード或いは少なくとも一つのシリアルナンバーを包含することを特徴とする、モバイル端末を通して兌換する商品購入プラットフォーム装置。
【請求項６】
請求項１記載のモバイル端末を通して兌換する商品購入プラットフォーム装置において、該第２端末装置は該商品兌換券を該サーバー装置に伝送し並びに該サーバー装置が折り返し伝送する商品兌換券検証結果及び該購入情報を受け取ることを特徴とする、モバイル端末を通して兌換する商品購入プラットフォーム装置。
【請求項７】
請求項６記載のモバイル端末を通して兌換する商品購入プラットフォーム装置において、該商品兌換券検証結果は少なくとも一つのバーコード、少なくとも一つの二次元バーコード或いは少なくとも一つのシリアルナンバーを包含することを特徴とする、モバイル端末を通して兌換する商品購入プラットフォーム装置。
【請求項８】
請求項６記載のモバイル端末を通して兌換する商品購入プラットフォーム装置において、該サーバー装置は該商品兌換券検証結果を伝送した後に兌換済み情報を発生することを特徴とする、モバイル端末を通して兌換する商品購入プラットフォーム装置。
【請求項９】
請求項１記載のモバイル端末を通して兌換する商品購入プラットフォーム装置において、該商品兌換券は該店舗により解析されて該購入情報を発生し、該第２端末装置は該商品兌換券を該サーバー装置に伝送し並びに該サーバー装置が折り返し伝送する商品兌換券検証結果を受け取ることを特徴とする、モバイル端末を通して兌換する商品購入プラットフォーム装置。
【請求項１０】
請求項９記載のモバイル端末を通して兌換する商品購入プラットフォーム装置において、該商品兌換券検証結果は少なくとも一つのバーコード、少なくとも一つの二次元コード、或いは少なくとも一つのシリアルナンバーを包含することを特徴とする、モバイル端末を通して兌換する商品購入プラットフォーム装置。
【請求項１１】
請求項９記載のモバイル端末を通して兌換する商品購入プラットフォーム装置において、該サーバー装置は該商品兌換券検証結果を伝送した後に、兌換済み情報を発生することを特徴とする、モバイル端末を通して兌換する商品購入プラットフォーム装置。
【請求項１２】
請求項１記載のモバイル端末を通して兌換する商品購入プラットフォーム装置において、該商品兌換券は該店舗により解析されて商品兌換券チェックコード及び該購入情報を発生し、該第２端末装置は該商品兌換券チェックコードを該サーバー装置に伝送し並びに該サーバー装置が折り返し伝送する商品兌換券検証結果を受け取ることを特徴とする、モバイル端末を通して兌換する商品購入プラットフォーム装置。
【請求項１３】
請求項１２記載のモバイル端末を通して兌換する商品購入プラットフォーム装置において、該商品兌換券検証結果は少なくとも一つのバーコード、少なくとも一つの二次元コード、或いは少なくとも一つのシリアルナンバーを包含することを特徴とする、モバイル端末を通して兌換する商品購入プラットフォーム装置。
【請求項１４】
請求項１２記載のモバイル端末を通して兌換する商品購入プラットフォーム装置において、該購入情報は少なくとも一つのバーコード、少なくとも一つの二次元コード、或いは少なくとも一つのシリアルナンバーを包含することを特徴とする、モバイル端末を通して兌換する商品購入プラットフォーム装置。
【請求項１５】
請求項１２記載のモバイル端末を通して兌換する商品購入プラットフォーム装置において、該サーバー装置は該商品兌換券検証結果と該購入情報を伝送した後に、兌換済み情報を発生することを特徴とする、モバイル端末を通して兌換する商品購入プラットフォーム装置。
【請求項１６】
請求項１記載のモバイル端末を通して兌換する商品購入プラットフォーム装置において、該サーバー装置は第１礼金兌換券を該第２端末装置に伝送することを特徴とする、モバイル端末を通して兌換する商品購入プラットフォーム装置。
【請求項１７】
請求項１６記載のモバイル端末を通して兌換する商品購入プラットフォーム装置において、該第１礼金兌換券は少なくとも一つのバーコード、少なくとも一つの二次元コード、或いは少なくとも一つのシリアルナンバーを包含することを特徴とする、モバイル端末を通して兌換する商品購入プラットフォーム装置。
【請求項１８】
請求項１６記載のモバイル端末を通して兌換する商品購入プラットフォーム装置において、該第２使用者は該第２端末装置或いは第３端末装置で該サーバー装置に接続し並びに該第１礼金兌換券を該サーバー装置に伝送し、且つ該サーバー装置が折り返し伝送する第１礼金兌換券検証結果及び第１礼金情報を受け取ることを特徴とする、モバイル端末を通して兌換する商品購入プラットフォーム装置。
【請求項１９】
請求項１８記載のモバイル端末を通して兌換する商品購入プラットフォーム装置において、該第１礼金情報は第１礼金金額を包含することを特徴とする、モバイル端末を通して兌換する商品購入プラットフォーム装置。
【請求項２０】
請求項１８記載のモバイル端末を通して兌換する商品購入プラットフォーム装置において、該第１礼金情報は第１礼金使用期限を包含することを特徴とする、モバイル端末を通して兌換する商品購入プラットフォーム装置。
【請求項２１】
請求項１記載のモバイル端末を通して兌換する商品購入プラットフォーム装置において、該店舗は第２礼金兌換券を該第２使用者に交付することを特徴とする、モバイル端末を通して兌換する商品購入プラットフォーム装置。
【請求項２２】
請求項２１記載のモバイル端末を通して兌換する商品購入プラットフォーム装置において、該第２礼金兌換券は少なくとも一つのバーコード、少なくとも一つの二次元コード、或いは少なくとも一つのシリアルナンバーを包含することを特徴とする、モバイル端末を通して兌換する商品購入プラットフォーム装置。
【請求項２３】
請求項２１記載のモバイル端末を通して兌換する商品購入プラットフォーム装置において、該第２使用者は該第２端末装置或いは第３端末装置で該サーバー装置に接続し並びに該第２礼金兌換券を該サーバー装置に伝送し、且つ該サーバー装置が折り返し伝送する第２礼金兌換券検証結果及び第２礼金情報を受け取ることを特徴とする、モバイル端末を通して兌換する商品購入プラットフォーム装置。
【請求項２４】
請求項２３記載のモバイル端末を通して兌換する商品購入プラットフォーム装置において、該第２礼金情報は第２礼金金額を包含することを特徴とする、モバイル端末を通して兌換する商品購入プラットフォーム装置。
【請求項２５】
請求項２３記載のモバイル端末を通して兌換する商品購入プラットフォーム装置において、該第２礼金情報は第２礼金使用期限を包含することを特徴とする、モバイル端末を通して兌換する商品購入プラットフォーム装置。
【請求項２６】
請求項１記載のモバイル端末を通して兌換する商品購入プラットフォーム装置において、第４端末装置をさらに包含し、該第４端末装置は第３者の機構に操作されて該サーバー装置に接続され並びに支払い情報を受け取ることを特徴とする、モバイル端末を通して兌換する商品購入プラットフォーム装置。
【請求項２７】
請求項２６記載のモバイル端末を通して兌換する商品購入プラットフォーム装置において、該第４端末装置は該第３者の機構が支払い済みであることを確認した後に、支払い済み情報を該サーバー装置に伝送することを特徴とする、モバイル端末を通して兌換する商品購入プラットフォーム装置。
【請求項２８】
請求項２６記載のモバイル端末を通して兌換する商品購入プラットフォーム装置において、該支払い情報は支払い方式を包含し、該支払い方式は、該第１使用者が該第３者の機構にカウンターで支払うか、ＡＴＭで支払うか、カウンターでカードで支払うか、オンラインでカードで支払うか、カウンターで分割払いするか、オンラインで分割払いするかを明記することを特徴とする、モバイル端末を通して兌換する商品購入プラットフォーム装置。
【請求項２９】
請求項１記載のモバイル端末を通して兌換する商品購入プラットフォーム装置において、該第２端末装置と該第１端末装置は同一端末装置とされることを特徴とする、モバイル端末を通して兌換する商品購入プラットフォーム装置。
【請求項３０】
請求項２記載のモバイル端末を通して兌換する商品購入プラットフォーム装置において、該第２使用者は該第１使用者と同一使用者とされることを特徴とする、モバイル端末を通して兌換する商品購入プラットフォーム装置。
【考案の詳細な説明】
【技術分野】
【０００１】
本考案は一種の商品購入プラットフォーム装置に係り、特に、オンラインで商品を購入後に、モバイル端末装置により商品兌換券に対して検証を行ない並びに実体店舗で商品を交換するモバイル端末を通して兌換する商品購入プラットフォーム装置に関する。
【背景技術】
【０００２】
古くより、ギフトは人類社会中でよく見られる文化行為であり、他人にギフトをすることで、自身の他人に対する謝意、謝罪、お祝い、慰問、或いは懐かしさを表し、並びにこれにより双方の関係を維持する。ギフトはこうして一種の重要な人間関係の媒体となっている。現在、グローバル化時代が到来し、個人の交遊ネットワークも世界に広がっているが、ギフトを遠方の友人に送りたい時は、往々にして距離が難しさを感じさせ、且つギフトを送る時は、ギフト自身が長距離の運送に耐えて届けられた時に破損して送り人と受取人の双方の気持ちを害することがないかどうかを考慮する必要がある。
【考案の概要】
【考案が解決しようとする課題】
【０００３】
これを鑑み、本考案者は、一種のモバイル端末を通して兌換する商品購入プラットフォーム装置設計に着手し、送り人が該モバイル端末を通して兌換する商品購入プラットフォーム装置を通して購入した商品を、受取人がその付近の商品で兌換できるようにし、これにより、受取人が保存状態が良好なギフトを、近くで受け取れるようにするのみならず、送り人がギフトを送るコストを、商店自身の入荷のコストに結合させることで、別に送料を支払う必要をなくし、且つ、現行の、コンビニエンスストアを介して送付する方式と比較すると、商品のストックコストもまた商品のもともとのストックコストに結合でき、余分にストックコストを支払う必要がなくなり、ゆえに、一種の比較的経済的な商品の購入と兌換の形式とされる。
【０００４】
これにより、本考案は一種のモバイル端末を通して兌換する商品購入プラットフォーム装置を提供し、それは、第１端末装置、第２端末装置を包含し、該第１端末装置はサーバー装置に接続され並びに購入情報と第２使用者情報を該サーバー装置に伝送する。該第２端末装置はモバイル端末装置とされ、且つ該サーバー装置に接続され、該サーバー装置の伝送する商品兌換券を受け取り、並びに該サーバー装置に接続して該商品兌換券が有効であるか否かを確認できる。
【０００５】
本考案のモバイル端末を通して兌換する商品購入プラットフォーム装置により、第１使用者は該第１端末装置を通して該サーバー装置に接続し、該サーバー装置中に構築された商品サービスプラットフォーム上でオンラインで少なくとも一つの商品の購入を行ない並びに第２使用者へのギフトを指定し、該第２使用者は第２端末装置を通して該サーバー装置が伝送した該商品兌換券を取得し、並びに該第２端末装置を店舗に携行して該商品と兌換する。該第２使用者は兌換前に該第２端末装置を利用して該サーバー装置に接続し、該商品兌換券が有効であるか否かを確認でき、該店舗は該サーバー装置が該商品兌換券が有効であると確認した後に、該購入情報により該商品を該第２使用者に交付し、こうして商品のオンラインショッピングと実体兌換を完成する。
【０００６】
本考案の目的は、一種のモバイル端末を通して兌換する商品購入プラットフォーム装置を提供することにあり、それによると、第１使用者がサーバー装置に接続し、オンラインで少なくとも一つの商品を購入し、並びに第２使用者へのギフト指定ができる。
【０００７】
本考案の目的は、一種のモバイル端末を通して兌換する商品購入プラットフォーム装置を提供することにあり、それによると、該サーバー装置は商品兌換券を該第２使用者に伝送し、該第２使用者が店舗に出向いて該商品に兌換できる。
【０００８】
本考案の目的は、一種のモバイル端末を通して兌換する商品購入プラットフォーム装置を提供することにあり、それによると、該第２使用者が携行する該第２端末装置を該サーバー装置に接続することで、該サーバー装置が該商品兌換券が有効であるか否かを検証する。
【０００９】
本考案の目的は、一種のモバイル端末を通して兌換する商品購入プラットフォーム装置を提供することにあり、それによると、第１礼金兌換券或いは第２礼金兌換券を該第２使用者に提供して、該第２使用者が該第１礼金兌換券或いは該第２礼金兌換券を礼金に兌換できるようにし、該第２使用者が該サーバー装置の提供する商品購入サービスを使用するのを奨励する。
【００１０】
本考案の目的は、一種のモバイル端末を通して兌換する商品購入プラットフォーム装置を提供することにあり、それによると、第３者の機構が支払いを受けた後に支払い済み情報を該サーバー装置に送り、該サーバー装置に該支払いがなされたことを確認させて該商品兌換券を該第２使用者に伝送する。
【００１１】
本考案の目的は、一種のモバイル端末を通して兌換する商品購入プラットフォーム装置を提供することにあり、それによると、該サーバー装置は該商品兌換券認証後に兌換済み情報を発生し、該商品兌換券が重複して兌換されるのを防止する。
【課題を解決するための手段】
【００１２】
上述の目的を達成するため、本考案は一種のモバイル端末を通して兌換する商品購入プラットフォーム装置を提供し、それは、第１端末装置と第２端末装置を包含する。該第１端末装置は、第１使用者により操作され、サーバー装置に接続され、並びに購入情報と第２使用者情報を該サーバー装置に伝送する。該第２端末装置は、モバイル端末装置とされ、第２使用者により操作され且つ該サーバー装置に接続され、該サーバー装置の伝送する商品兌換券を受け取り、並びに該サーバー装置に接続されて該商品兌換券が有効であるか否かを確認し、店舗は該商品兌換券が有効であると確認された後に、該購入情報により少なくとも一つの商品を該第２使用者に交付する。
【００１３】
これらの構成要件の設置により、該第１使用者はサービスプロバイダが提供する該サーバー装置に接続し、該サーバー装置上に架設された商品サービスプラットフォームを利用して、少なくとも一つの商品を購入でき、並びに該購入情報及び該第２使用者情報を該サーバー装置に伝送する。
【００１４】
そのうち、該購入情報は、少なくとも一つの商品名称及び少なくとも一つの商品数量を包含し、且つ該第２使用者情報は、電子メールアドレス或いは携帯電話番号を包含する。
【００１５】
該サーバー装置は該第１使用者による支払いを確認した後、電子メール或いは携帯電話ショートメッセージで該商品兌換券を該第２端末装置に伝送し、該第２使用者に該商品兌換券を取得させる。そのうち、該商品兌換券は、少なくとも一つのバーコード、少なくとも一つの二次元バーコード、或いは少なくとも一つのシリアルナンバーを包含する。
【００１６】
該第２使用者は該第２端末装置を該サービスプロバイダと合作する該店舗に持ち寄り、兌換前に、該第２端末装置を該サーバー装置に接続して該商品兌換券が有効であるか否かを確認する。これは、以下の三種類のメカニズムで実行され得る。
【００１７】
その一つは、該第２端末装置が直接該商品兌換券を該サーバー装置に伝送し、該サーバー装置が該商品兌換券を解析並びに検証して商品兌換券検証結果及び該購入情報を折り返し伝送する。
【００１８】
二つ目は、該商品兌換券を解析して該購入情報を発生した後、該第２端末装置が該商品兌換券を該サーバー装置に伝送し、該サーバー装置が該商品兌換券を検証した後に商品兌換券検証結果を折り返し伝送する。
【００１９】
三つ目は、該商品兌換券を解析して商品兌換券チェックコード及び該購入情報を発生した後、該第２端末装置が該商品兌換券チェックコードを該サーバー装置に伝送し、該サーバー装置が該商品兌換券チェックコードを検証した後に該商品兌換券検証結果を折り返し伝送する。
【００２０】
これら三種類のメカニズムは、いずれも該店舗に該商品兌換券が有効であるか否か、及び、兌換可能な少なくとも一つの商品名称と少なくとも一つの商品数量を知らしめる。そのうち、該サーバー装置が伝送する該商品兌換券検証結果と該購入情報は、少なくとも一つのバーコード、少なくとも一つの二次元コード或いは少なくとも一つのシリアルナンバーを包含し、該店舗は入力装置で該商品兌換券検証結果を読み取った後に、兌換済み情報を自己発生し及び保存し、これにより該商品兌換券が重複して兌換されるのを防止する。
【００２１】
このほか、該サーバー装置は第１礼金兌換券を該第２端末装置に伝送するか、或いは該店舗より第２礼金兌換券を該第２使用者に交付し、該商品兌換券と同様に、該第１礼金兌換券或いは該第２礼金兌換券は少なくとも一つのバーコード、少なくとも一つの二次元バーコード或いは少なくとも一つのシリアルナンバーを包含し得る。
【００２２】
該第２使用者は、該第２端末装置或いは第３端末装置を介して該サーバー装置に接続し、該第１礼金兌換券或いは該第２礼金兌換券を該サーバー装置に伝送して検証を実行し、該サーバー装置は、第１礼金兌換券検証結果と第１礼金情報或いは第２礼金兌換券検証結果と第２礼金情報を折り返して伝送する。
【００２３】
該第１礼金情報或いは該第２礼金情報は、第１礼金金額と第１礼金使用期限或いは第２礼金金額と第２礼金使用期限を包含する。該サービスプロバイダは該第２使用者に、該サービスプロバイダにおいて構築した商品サービスプラットフォームが使用する仮想礼金を与え、こうして該第２使用者に対して、該商品サービスプラットフォームを利用して商品を購入して他人に送るように促進する。
【００２４】
また、本考案のモバイル端末を通して兌換する商品購入プラットフォーム装置は、第４端末装置を包含し得る。該第４端末装置は、第３者の機構により操作され、該サーバー装置と接続され並びに支払い情報を受け取り、且つ該第３者の機構が該商品の支払い済みを確認した後、支払い済み情報を該サーバー装置に伝送する。
【００２５】
該第３者の機構は該サービスプロバイダと合作し、該サーバー装置は該第１使用者が伝送する該購入情報を受け取った後、支払い情報を該第３者の機構が具備する該第４端末装置に伝送する。
【００２６】
該第３者の機構は該支払い情報に符合する支払いを取得した後、支払い済み情報を該サーバー装置に伝送し、該サーバー装置は商品兌換券を該第２端末装置に伝送し並びに該第２使用者に該サービスプロバイダと合作している店舗で該商品兌換券を該商品に兌換できることを通知する。
【００２７】
そのうち、該支払い情報は、支払い方式を包含し、該支払い方式は、該第１使用者が第３者の機構にカウンター支払い、ＡＴＭ支払い、カウンターでカードで支払い、オンラインでカード支払い、カウンターで分割払い或いはオンラインで分割払いで支払うかを明記する。
【００２８】
また、本考案のモバイル端末を通して兌換する商品購入プラットフォーム装置を利用する時、該第１使用者は直接該サーバー装置の該商品サービスプラットフォームホームページに接続できるほか、ソーシャルネットワークサイトを介して該サーバー装置にアクセスでき、該サービスプロバイダは該ソーシャルネットワーク業者と合作の方式で、双方のアカウントナンバーＩＤ認証とアプリケーションサービスを連結し、消費者がさらに容易に該商品サービスプラットフォームの宣伝情報にコンタクトできるようにし、消費者に向けてその商品の購入と兌換のサービスを推奨するのに有利であり、該第１使用者はまた該商品サービスプラットフォームを通して商品を購入並びに自己兌換でき、このとき、該第１端末装置と該第２端末装置は同一装置とされ得る。
【考案の効果】
【００２９】
総合すると、本考案は一種のモバイル端末を通して兌換する商品購入プラットフォーム装置であり、サービスプロバイダが提供するサーバー装置により、第１使用者が商品サービスプラットフォームにおいてオンラインで第２使用者に贈りたい少なくとも一つの商品を購入し、該サービスプロバイダは第３者の機構と合作し、該第３者の機構は該商品の支払いを受け取り、並びに該サービスプロバイダに該支払いが済んだことを通知し、該サービスプロバイダは商品兌換券を該第２使用者に伝送し、該第２使用者は該商品兌換券を、該サービスプロバイダと合作している店舗にて該商品と兌換する。その内、該第２使用者の第２端末装置はモバイル端末装置とされ、該第２使用者が該店舗へと携行して該商品と兌換し、しかも該商品兌換券は該第２端末装置を介して該サーバー装置に接続し、該商品兌換券が有効であるかを確認するので、該店舗が端末装置を設置する必要はない。
【００３０】
このほか、該サービスプロバイダはまたソーシャルネットワーク業者と合作し、該ソーシャルネットワーク業者が経営するソーシャルネットワークサイトと該商品サービスプラットフォームに、アカウントＩＤとアプリケーションサービスを連結させこうして商品の購入と兌換のサービスを推進する。
【００３１】
また、該サーバー装置はまた第１礼金兌換券或いは第２礼金兌換券を提供でき、該第２使用者は該第１礼金兌換券或いは該第２礼金兌換券を該商品サービスプラットフォームで使用できる礼金に兌換でき、該サービスプロバイダはすなわち、これにより、該第２使用者に対して該商品サービスプラットフォームの使用を推進する。
【００３２】
本考案の提供するモバイル端末を通して兌換する商品購入プラットフォーム装置により、使用者が購入した商品を、別の使用者が近所の商店で兌換でき、該別の使用者が保存状態が比較的良好な商品を取得でき、さらに商品の輸送とストックのコストを商店自身の入荷とストックのコストと結合させることができ、さらに経済的である。
【図面の簡単な説明】
【００３３】
【図１】本考案の第１実施例の構成要件関係表示図である。
【図２Ａ】本考案の第１実施例の商品購入と支払いのフローチャートである。
【図２Ｂ】本考案の第１実施例の商品兌換フローチャートである。
【図２Ｃ】本考案の第１実施例の礼金兌換フローチャートである。
【考案を実施するための形態】
【００３４】
本考案の技術内容、構造特徴、達成する目的を詳細に説明するため、以下に実施例を挙げ並びに図面を組み合わせて説明する。
【００３５】
本考案のモバイル端末を通して兌換する商品購入プラットフォーム装置の特色は以下のとおりである。サービスプロバイダがサーバー装置を提供し、第１使用者を、第１端末装置を通して該サーバー装置に接続させ、オンラインで少なくとも一つの商品を購入させると共に第２使用者へのギフトとして指定させる。
【００３６】
該第２使用者は第２端末装置で該サーバー装置の伝送する商品兌換券を受け取った後、店舗に出向いて該商品兌換券を該商品に兌換する。
【００３７】
該商品に兌換する前に、該第２使用者は該第２端末装置を該サーバー装置に接続して該商品兌換券が有効であるか否かを確認する。
【００３８】
該店舗は該商品兌換券が有効であると確認した後に、該商品を該第２使用者に交付する。
【００３９】
該サーバー装置は商品兌換券検証結果を該第２使用者に伝送した後に、自動的に兌換済み情報を発生並びに保存し、同一の商品兌換券が重複して兌換されるのを防止する。
【００４０】
また、該サーバー装置はまた仮想礼金に兌換される第１礼金兌換券或いは第２礼金兌換券を該第２使用者に提供でき、これにより該第２使用者が該サーバー装置の商品サービスプラットフォームを利用して商品を選択及び兌換するのを奨励する。
【００４１】
また、第３者の機構が第４端末装置を介して該サーバー装置に支払い情報を伝送し、並びに支払いを受け取った後に折り返し支払い済み情報を該サーバー装置に伝送し、該サーバー装置はすなわち該商品兌換券を該第２端末装置に伝送する。
【００４２】
図１を参照されたい。図１は本考案の第１実施例の構成要件関係表示図である。図示されるように、本考案は一種のモバイル端末を通して兌換する商品購入プラットフォーム装置であり、それは、サーバー装置１０、第１端末装置２１、第２端末装置２２、第３端末装置２３、及び第４端末装置２４を包含する。サービスプロバイダＢが該サーバー装置１０を提供し、並びに該サーバー装置１０に商品サービスプラットフォーム１００が架設される。
【００４３】
第１使用者Ａは第１端末装置２１を通して該サーバー装置１０に接続し、該商品サービスプラットフォーム１００において商品Ｐを選択し並びに購入情報Ｓ１と第２使用者情報Ｓ２を該サーバー装置１０に伝送する。該購入情報内には該商品Ｐの商品名と商品数量が包含される。
【００４４】
該サーバー装置１０は支払い情報Ｓ３を第３者の機構Ｃにより操作される第４端末装置２４に伝送し、該支払い情報Ｓ３は、支払い方式Ｓ３１を包含し、該支払い方式Ｓ３１は、該第１使用者Ａがカウンターでクレジットの方式で代金の支払いＭを第３者の機構Ｃに対して行うことを明らかに記載し、該第３者の機構Ｃは該支払いＭを受けた後、支払い済み情報Ｓ４を該サーバー装置１０に伝送する。
【００４５】
該サーバー装置１０は該支払いＭがなされたことを確認すると、商品兌換券Ｓ５を第２使用者Ｄが所有する第２端末装置２２に伝送する。
【００４６】
該第２使用者Ｄが店舗Ｅに出向き商品Ｐに兌換する時、該第２端末装置２２を該サーバー装置１０に接続し、並びに三種類のメカニズムを通して該商品兌換券Ｓ５を検証し並びに該購入情報Ｓ１を知ることができる。
【００４７】
そのうち一つ目（図中、Ｌ１と表示される経路）は、該第２端末装置２２が直接該商品兌換券Ｓ５を該サーバー装置１０に伝送し、並びに該サーバー装置１０が折り返し伝送する商品兌換券検証結果Ｓ７及び該購入情報Ｓ１を受け取る。
【００４８】
二つ目（図中ではＬ２と表示される経路）は、該商品兌換券Ｓ５が該店舗Ｅにより解析されて該購入情報Ｓ１を発生し、該第２端末装置２２が該商品兌換券Ｓ５を該サーバー装置１０に伝送し、並びに該サーバー装置１０が折り返し伝送する商品兌換券検証結果Ｓ７を受け取る。
【００４９】
三つ目（図中ではＬ３と表示される経路）は、該商品兌換券Ｓ５が該店舗Ｅで解析され商品兌換券チェックコードＳ５１と該購入情報Ｓ１を発生し、該第２端末装置２２が該商品兌換券チェックコードＳ５１を該サーバー装置１０に伝送し、並びに該サーバー装置１０が折り返し伝送する商品兌換券検証結果Ｓ７を受け取る。
【００５０】
該サーバー装置１０は、該商品兌換券検証結果Ｓ７を伝送した後に、兌換済み情報Ｓ８を発生並びに保存する。
【００５１】
該店舗Ｅは、該商品兌換券検証結果Ｓ７により該商品兌換券Ｓ５が有効であることを確認し、該購入情報Ｓ１より該商品兌換券Ｓ５が兌換できる該商品Ｐを知った後、該商品Ｐと該第２礼金兌換券Ｓ６２を該第２使用者Ｄに交付する。
【００５２】
また、該サーバー装置１０は該商品兌換券Ｓ５或いは該商品兌換券検証結果Ｓ７を伝送する時に、併せて第１礼金兌換券Ｓ６１を該第２端末装置２２に伝送できる。
【００５３】
また、該第２使用者Ｄは第３端末装置２３を通して該サーバー装置１０に接続し、並びに該第１礼金兌換券Ｓ６１及び該第２礼金兌換券Ｓ６２を該サーバー装置１０に伝送し、且つ該サーバー装置１０が折り返し伝送する第１礼金兌換券検証結果Ｓ９１１、第１礼金情報Ｓ９２１、第２礼金兌換券検証結果Ｓ９１２及び第２礼金情報Ｓ９２２を受け取る。
【００５４】
該第１礼金情報Ｓ９２１は第１礼金金額及び第１礼金使用期限を包含し、該第２礼金情報Ｓ９２２は第２礼金金額及び第２礼金使用期限を包含し、該第２使用者Ｄに、該第２使用者Ｄが獲得し該商品サービスプラットフォーム１００で使用できる仮想礼金を提示する。
【００５５】
本実施例中、該第２端末装置２２はモバイル端末装置とされ、該第２使用者Ｄが該店舗Ｅへと携行する。該第２使用者情報Ｓ２は、携帯電話番号或いは電子メールアドレスを包含し得る。該サーバー装置１０は、該商品兌換券Ｓ５を包含する電子メール或いは携帯電話ショートメッセージを伝送可能である。該商品兌換券Ｓ５は少なくとも一つのバーコード、少なくとも一つの二次元バーコード或いは少なくとも一つのシリアルナンバーを包含し、該第２使用者Ｄは、該商品兌換券Ｓ５をプリントアウトするか、或いは直接が商品兌換券Ｓ５を該第２端末装置２２に表示し、該店舗Ｅに入力装置（図示せず）により該商品兌換券Ｓ５を読み取らせ並びに解析させる。たとえば、該商品兌換券Ｓ５がバーコードであれば、該入力装置はバーコードスキャナとされ、該商品兌換券Ｓ５がシリアルナンバーである時、該入力装置はキーボードとされる。
【００５６】
該第１礼金兌換券Ｓ６１と該第２礼金兌換券Ｓ６２はまたそれぞれ少なくとも一つのバーコード、少なくとも一つの二次元バーコード或いは少なくとも一つのシリアルナンバーを包含し、該店舗Ｅはプリントアウトした該第２礼金兌換券Ｓ６２を該第２使用者Ｄに交付し、該第２使用者Ｄは入力装置（図示せず）により該第１礼金兌換券Ｓ６１及び該第２礼金兌換券Ｓ６２を該第３端末装置２３に入力するか、或いは直接該第３端末装置２３で該第２端末装置２２が伝送する該第１礼金兌換券Ｓ６１及び該第２礼金兌換券Ｓ６２を受け取る。
【００５７】
また、該支払い方式Ｓ３１の内容は、カウンター支払い、ＡＴＭ支払い、カウンターカード支払い、オンラインカード支払い、カウンター分割払い、或いはオンライン分割払い等の方式を包含し得る。
【００５８】
本実施例中、これら構成要件の設置により、第１使用者はサービスプロバイダが提供するサーバー装置に接続させられ、該サーバー装置上の商品サービスプラットフォームで少なくとも一つの商品を購入し並びに第２使用者へのギフトに指定する。第３者の機構は該サービスプロバイダに協力し、該商品に対応する支払いを受け取る。該第２使用者は該サーバー装置の伝送する商品兌換券を、店舗にて該商品兌換券に対応する実体の該商品に兌換し、並びに該第２使用者の第２端末装置を該サーバー装置に接続し、該商品兌換券の有効性検証を行ない、且つ該サーバー装置が提供する第１礼金兌換券或いは第２礼金兌換券を仮想礼金に兌換し、該サービスプロバイダはこれにより該第２使用者に対し、該商品サービスプラットフォームでの商品購入と兌換サービスの利用を推進する。
【００５９】
図２Ａを参照されたい。それは本考案の第１実施例の商品購入と支払いのフローチャートである。図示されるように、本考案の商品購入と支払いのフローは以下を包含する。
ステップＳＴ１１：第１端末装置で接続する。
ステップＳＴ１２：少なくとも一つの商品を購入し並びに第２使用者情報を提供する。
ステップＳＴ１３：期限内に支払いを終える。
ステップＳＴ２１：ソーシャルネットワークサイトを提供し、商品サービスプラットフォームのサーバー装置に連結する。
ステップＳＴ３１：該商品サービスプラットフォームの該サーバー装置を提供する。
ステップＳＴ３２：購入情報と第２使用者情報を受け取る。
ステップＳＴ３３：支払い情報を第４端末装置に伝送する。
ステップＳＴ３４：商品兌換券を第２使用者の第２端末装置に伝送する。
ステップＳＴ３５：商品サービスを終了する。
ステップＳＴ４１：該第４端末装置を通して支払い情報を取得する。
ステップＳＴ４２：該支払い情報に符合する支払いを取得し、支払い済み情報を該サーバー装置に伝送する。
【００６０】
そのうち、ステップＳＴ１１〜１３は、第１使用者Ａにより実行される。ステップＳＴ２１はソーシャルネットワーク業者Ｆにより実行される。ステップＳＴ３１〜３５は該商品サービスプラットフォームを提供するサービスプロバイダＢにより実行される。ステップＳＴ４１〜４２は第３者の機構Ｃにより実行される。
【００６１】
ステップＳＴ１１中、該第１使用者Ａは第１端末装置で該ソーシャルネットワークサイトＴ１に接続するか、或いは該商品サービスプラットフォームＴ２に接続するかを選択できる。Ｔ１を選択すれば、ステップＳＴ２１に進入し、該ソーシャルネットワーク業者Ｆは、ソーシャルネットワークサイトを該第１使用者Ａのブラウズと登録に供し、且つ該第１使用者Ａは該ソーシャルネットワークサイトを介して該商品サービスプラットフォームのサーバー装置に連結でき、ステップＳＴ３１に進入する。Ｔ２を選択すれば、直接ステップＳＴ３１に進入し、該第１端末装置に該サーバー装置との接続を完成させる。
【００６２】
ステップＳＴ３１の後、ステップＳＴ１２に進入し、該第１使用者Ａは該商品サービスプラットフォームで少なくとも一つの商品を購入し並びに第２使用者情報を提供する。この時、第１使用者アカウントナンバーを選択して該商品サービスプラットフォームに登録するか、或いは該ソーシャルネットワークサイトのＩＤで登録するかを選択でき、購入確認後にステップＳＴ３２に進入し、該サーバー装置は購入情報と第２使用者情報を受け取り、並びにステップＳＴ３３とステップＳＴ４１を自動実行し、該サーバー装置は支払い情報を該第３者の機構Ｃの第４端末装置に伝送する。
【００６３】
ステップＳＴ３３とステップＳＴ４１の後、ステップＳＴ１３に進入し、該第１使用者Ａがもし該サービスプロバイダＢが指定する期限内に支払いを第３者の機構Ｃに対して行えば、ステップＳＴ４２に進入し、該第３者の機構Ｃは該支払いを受けて並びに支払い済み情報を該サーバー装置に伝送し、該サーバー装置にステップＳＴ３４を実行させ、すなわち、商品兌換券と第１礼金兌換券を第２使用者の第２端末装置に伝送し、続いて、該第２使用者は該商品兌換券を該商品に兌換できる（後述する）。
【００６４】
もし、第１使用者Ａが該サービスプロバイダＢの指定する期限内に該第３者の機構Ｃに対して支払いを終えなければ、ステップＳＴ３５に進入し、該サービスプロバイダＢはこの商品サービスを終了する。
【００６５】
図２Ｂを参照されたい。それは本考案の第１実施例の商品兌換フローチャートである。図示されるように、本考案を利用した商品兌換フローは以下を包含する。
【００６６】
ステップＳＴ３４：商品兌換券と第１礼金兌換券を第２使用者の第２端末装置に伝送する。
ステップＳＴ３５１：該商品兌換券の検証通過。
ステップＳＴ３５２：該商品兌換券チェックコードが検証通過。
ステップＳＴ３６１：商品兌換券検証結果、該購入情報を該第２端末装置に伝送する。
ステップＳＴ３６２：商品兌換券検証結果を該第２端末装置に伝送する。
ステップＳＴ５１：該第２端末装置により該商品兌換券を受け取る。
ステップＳＴ５２：該商品兌換券を検証し並びに該購入情報を取得する。
ステップＳＴ５３１：該商品兌換券を該サーバー装置に伝送する。
ステップＳＴ５３２：該商品兌換券チェックコードを該サーバー装置に伝送する。
ステップＳＴ５４：該商品及び該第２礼金兌換券を取得する。
ステップＳＴ６１１：該商品兌換券を解析して該購入情報を発生する。
ステップＳＴ６１２：該商品兌換券を解析して商品兌換券チェックコードと該購入情報を発生する。
ステップＳＴ６２：該商品及び該第２礼金兌換券を該第２使用者に交付する。
ステップＳＴ６３：商品兌換終了。
【００６７】
そのうち、ステップＳＴ３４〜３６２は該サービスプロバイダＢにより実行される。ステップＳＴ５１〜５４は第２使用者Ｄにより実行される。ステップＳＴ６１〜６３は店舗Ｅにより実行される。
【００６８】
ステップＳＴ３４中、該サービスプロバイダＢはサーバー装置により商品兌換券を該第２使用者Ｄの第２端末装置に伝送し、すなわちステップＳＴ５１に連結し、該第２使用者Ｄに該商品兌換券を取得させる。
【００６９】
該第２使用者ＤはステップＳＴ５２を実行し、該商品兌換券を検証し並びに該購入情報を取得する。ステップＳＴ５２の後は三種類のメカニズムにより、三つの経路に分かれる。
【００７０】
Ｔ３を選択すれば、ステップＳＴ５３１に進入し、該第２端末装置は直接該商品兌換券を該サーバー装置に伝送し、該サーバー装置にステップＳＴ３５１を実行させる。このとき、もし該商品兌換券が検証を通過すれば、ステップＳＴ３６１に進入し、該サーバー装置は商品兌換券検証結果及び該購入情報を該第２端末装置に伝送し、該店舗ＥにステップＳＴ６２を実行させ、該商品及び該第２礼金兌換券を該第２使用者Ｄに交付する。もし、該商品兌換券が検証を通過しなければ、ステップＳＴ６３に進入し、商品兌換を終了する。
【００７１】
また、Ｔ４を選択すれば、ステップＳＴ６１１に進入し、該店舗Ｅは該商品兌換券を解析して該購入情報を発生し、その後、ステップＳＴ５３１に進入し、該第２端末装置は該商品兌換券を該サーバー装置に伝送し、該サーバー装置にステップＳＴ３５１を実行させる。このとき、もし該商品兌換券が検証を通過すれば、ステップＳＴ３６２に進入し、該サーバー装置は商品兌換券検証結果を該第２端末装置に伝送し、該店舗ＥにステップＳＴ６２を実行させ、該商品及び該第２礼金兌換券を該第２使用者Ｄに交付させる。もし、該商品兌換券が検証を通過しなければ、ステップＳＴ６３に進入し、商品兌換を終了する。
【００７２】
また、Ｔ５を選択すれば、すなわち、ステップＳＴ６１２に進入し、該店舗Ｅが該商品兌換券を解析して商品兌換券チェックコードと該購入情報を発生し、その後、ステップＳＴ５３２に進入し、該第２端末装置は該商品兌換券チェックコードを該サーバー装置に伝送し、該サーバー装置にステップＳＴ３５２を実行させる。このとき、もし該商品兌換券チェックコードが検証を通過すれば、ステップＳＴ３６２に進入し、該サーバー装置は商品兌換券検証結果を該第２端末装置に伝送し、該店舗ＥにステップＳＴ６２を実行させ、該商品及び該第２礼金兌換券を該第２使用者Ｄに交付させる。もし、該商品兌換券が検証を通過しなければ、ステップＳＴ６３に進入し、商品兌換を終了する。
【００７３】
このほか、該サーバー装置は該商品兌換券検証結果を該第２端末装置に伝送した後に、兌換済み情報（図示せず）を発生並びに保存する。
【００７４】
ステップＳＴ３４、３５１或いは３５２の時、該サーバー装置は併せて第１礼金兌換券を該第２端末装置に伝送し得る。
【００７５】
図２Ｃを参照されたい。それは本考案の第１実施例の礼金兌換フローチャートである。図示されるように、本考案の礼金兌換フローは、以下を包含する。
ステップＳＴ２２：ソーシャルネットワークサイトを提供し、商品サービスプラットフォームのサーバー装置に接続する。
ステップＳＴ３７：該商品サービスプラットフォームの該サーバー装置を提供する。
ステップＳＴ３８：該礼金兌換券が検証を通過する。
ステップＳＴ３９：礼金兌換を終了する。
ステップＳＴ５５：接続。
ステップＳＴ５６：礼金兌換券を該サーバー装置に伝送する。
ステップＳＴ５７：礼金兌換券検証結果及び礼金情報を受け取る。
【００７６】
そのうち、ステップＳＴ２２は該ソーシャルネットワーク業者Ｆにより実行され、ステップＳＴ３７〜３９は該サービスプロバイダＢにより実行される。ステップＳＴ５５から５７は該第２使用者Ｄにより実行される。
【００７７】
ステップＳＴ５５において、該第２使用者Ｄは該第２端末装置或いは第３端末装置で該ソーシャルネットワークサイトに接続するかＴ６或いは該商品サービスプラットフォームに接続するＴ７。
【００７８】
Ｔ６を選択するとすなわちステップＳＴ２２に進入し、該ソーシャルネットワーク業者Ｆがソーシャルネットワークサイトを提供して該第２使用者Ｄの閲覧並びに登録に供し、且つ該第２使用者Ｄは該ソーシャルネットワークサイトを介して該商品サービスプラットフォームのサーバー装置に接続してステップＳＴ３７に進入する。Ｔ７を選択すると、直接ステップＳＴ３７に進入し、該第２端末装置或いは該第３端末装置に該サーバー装置との接続を完成させる。
【００７９】
ステップＳＴ３７の後、第２使用者アカウントナンバーで該商品サービスプラットフォームに登録するか、或いはソーシャルネットワークサイトのＩＤで、登録身分を確認した後、ステップＳＴ５６に進入し、該第２使用者Ｄは該サーバー装置にステップＳＴ３４、３５１或いは３５２の時に伝送する該第１礼金兌換券或いはステップＳＴ５４中で獲得した該第２礼金兌換券を、該サーバー装置に伝送し、該第１礼金兌換券或いは該第２礼金兌換券に対して検証を行う。
【００８０】
該サーバー装置はステップＳＴ３８を実行し、該第１礼金兌換券或いは該第２礼金兌換券に対して検証を行ない、もし該第１礼金兌換券が検証通過すれば、ステップＳＴ５７に進入し、該第２端末装置或いは該第３端末装置は該サーバー装置より第１礼金兌換券検証結果と第１礼金情報或いは第２礼金兌換券検証結果と第２礼金情報を受け取る。
【００８１】
このとき、該第１礼金兌換券検証結果或いは該第２礼金兌換券検証結果が、該第１礼金兌換券或いは該第２礼金兌換券が有効であることを表示し、且つ該第１礼金情報或いは該第２礼金情報が第１礼金金額と第１礼金使用期限或いは第２礼金金額と第２礼金使用期限を包含すれば、該第２使用者Ｄに該商品サービスプラットフォームにおいて使用可能な礼金を獲得させ、該サーバー装置は関係する情報を該第２使用者アカウント或いは該ソーシャルネットワークサイトアカウント（図示せず）に保存する。
【００８２】
もし、該第１礼金兌換券或いは該第２礼金兌換券が検証を通過しなければ、ステップＳＴ３９に進入し、礼金の兌換を中止する。このとき、伝送される該第１礼金兌換券検証結果或いは該第２礼金兌換券検証結果は該第１礼金兌換券或いは該第２礼金兌換券が無効であることを表示する。
【００８３】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００８４】
１０  サーバー装置
１００  商品サービスプラットフォーム
２１  第１端末装置
２２  第２端末装置
２３  第３端末装置
２４  第４端末装置
Ｓ１  購入情報
Ｓ２  第２使用者情報
Ｓ３  支払い情報
Ｓ３１  支払い方式
Ｓ４  支払い済み情報
Ｓ５  商品兌換券
Ｓ５１  商品兌換券チェックコード
Ｓ６１  第１礼金兌換券
Ｓ６２  第２礼金兌換券
Ｓ７  商品兌換券検証結果
Ｓ８  兌換済み情報
Ｓ９１１  第１礼金兌換券検証結果
Ｓ９１２  第２礼金兌換券検証結果
Ｓ９２１  第１礼金情報
Ｓ９２２  第２礼金情報
Ａ  第１使用者
Ｂ  サービスプロバイダ
Ｃ  第３者の機構
Ｄ  第２使用者
Ｅ  店舗
Ｆ  ソーシャルネットワーク業者
Ｍ  支払い
Ｐ  商品
【図１】
0003179591.tif 000003
【図２Ａ】
0003179591.tif 000004
【図２Ｂ】
0003179591.tif 000005
【図２Ｃ】
0003179591.tif 000006